(57)【特許請求の範囲】
【請求項１】
空気中の粒子を捕集する空気清浄装置の捕集部を格納するケーシングと、該ケーシングの開口部を開閉自在に覆う蓋体との取付構造において、
前記蓋体は、一辺に沿った一端部を回転中心として回動自在になるように前記ケーシングに取り付けられると共に前記一辺に対向する一辺に沿った他端部で係合部を介して前記ケーシングに係脱可能となり且つ前記一辺に直交する方向に沿った断面が略円弧状となるように外側に突出した湾曲形状を有し、該蓋体が前記湾曲形状の湾曲方向に弾性変形することにより前記係合部が係脱可能であることを特徴とする空気清浄装置用蓋体の取付構造。
【請求項２】
請求項１において、前記蓋体の前記他端部近傍には、第１の係止部が設けられ、前記ケーシングには前記第１の係止部が係合する第２の係止部が設けられており、前記蓋体の前記他端部を閉じる回動方向に押圧することにより両者が係合し、前記蓋体の前記他端部を開く回動方向に押圧することにより両者の係合が解除されることを特徴とする空気清浄装置用蓋体の取付構造。
【請求項３】
請求項２において、前記蓋体は、前記湾曲方向に沿うと共に弾性変形のし易い第１のリブと、当該第１のリブに直交する第２のリブとを有することを特徴とする空気清浄装置用蓋体の取付構造。
【請求項４】
請求項２又は３において、前記第１の係止部が前記蓋体に突設された係止突起であり、前記第２の係止部が前記係止突起が挿入されてその縁部に係合する貫通孔であることを特徴とする空気清浄装置用蓋体の取付構造。
【請求項５】
請求項１〜４の何れかにおいて、前記蓋体の前記一端部の両側近傍には当該両側の側壁に沿って前記ケーシングに向かって突出するステー部が設けられ、該ステー部に設けられた第３の係止部と前記ケーシングに設けられた第４の係止部により前記蓋体の開閉位置が位置決めできることを特徴とする空気清浄装置用蓋体の取付構造。
【請求項６】
請求項５において、前記ステー部は前記回動方向を含む面に沿った薄板部材で少なくとも先端部が厚さ方向に弾性変形可能であり、前記第３の係止部は前記ステー部の先端部に設けられて厚さ方向に突出した係止凸部であり、前記第４の係止部は、前記ケーシングに設けられた二本の突条からなり、当該二本の突条間に前記係止凸部が係合することにより前記蓋体の開閉位置が所定位置に位置決めされることを特徴とする空気清浄装置用蓋体の取付構造。
【請求項７】
請求項６において、前記係止凸部は円柱形状であり、前記二本の突条はそれぞれの外側の側面が外側ほど漸次低くなる傾斜面となっていることを特徴とする空気清浄装置用蓋体の取付構造。
【請求項８】
空気中の粒子を捕集する捕集部と、前記捕集部を格納すると共に開口部を有するケーシングと、該ケーシングの前記開口部を開閉自在に覆う蓋体とを具備する空気清浄装置において、
前記蓋体は、一辺に沿った一端部を回転中心として回動自在になるように前記ケーシングに取り付けられると共に前記一辺に対向する一辺に沿った他端部で係合部を介して前記ケーシングに係脱可能となり且つ前記一辺に直交する方向に沿った断面が略円弧状となるように外側に突出した湾曲形状を有し、該蓋体が前記湾曲形状の湾曲方向に弾性変形することにより前記係合部が係脱可能であることを特徴とする空気清浄装置。
【発明の詳細な説明】
【０００１】
【発明の属する技術分野】
本発明は、空気中に浮遊する塵埃、細菌、臭気成分等の粒子を電気的に、濾過により、又はイオン化して集塵する空気清浄装置用蓋体の取付構造及び空気清浄装置に関するものである。
【０００２】
【従来の技術】
この種の空気清浄装置としては、例えば、実公平４−０５０９０１号に開示されたものがあり、図１４はその正面図、図１５は断面図、図１６は蓋体を開けた状態の一部を切り欠いた側面図である。
【０００３】
これらの図面に示すように、この空気清浄装置０１は、全体が略直方体形状であり、前面が開口部となるケーシング０２と、ケーシング０２の開口部を開閉する蓋体０３とを具備する。蓋体０３には吸込口０４が形成され、ケーシング０２の上部には吐出口０５が形成されている。ケーシング０２の内部にはファン０６が設けられ、その前方には含塵空気をイオン化する荷電部０７と該荷電部０７の下流側に接合して当該荷電部０７でイオン化された塵埃を捕集する集塵部０８とが一体となった帯電捕集部０９が内蔵されている。
【０００４】
ここで、蓋体０３は、一端部がケーシング０２に回動自在に取り付けられ、他端部には係合ピン０１０が設けられている。一方、ケーシング０２にはステー０１１の一端が枢着され、ステー０１１の他端に設けられた長孔０１２が蓋体０３の係合ピン０１０と係合している。これにより、蓋体０３は、ステー０１１により所定の角度だけ開いた状態で保持される。なお、このステー０１１は、空気清浄機０１を天地を反対に接地した場合にも、所定の角度だけ開いた状態で蓋体０３を保持できるようになっている。
【０００５】
また、蓋体０３が閉じた状態の保持には、例えば、プッシュキャッチタイプなどの保持機構が設けられている。すなわち、詳細を図１７（ａ）に示すように、蓋体０３には、つめ部０１３が設けられ、ケーシング０２には、プッシュキャッチタイプのキャッチ部０１４が設けられ、両者の係合により蓋体０３が閉じた状態が保持されるようになっている。また、保持機構としては、図１７（ｂ）に示すように、たわみ変形するつめ部０１３Ａと、つめ部０１３Ａと係合する係合穴０１４Ａとの係合を利用するつめ引っかけタイプもある。
【０００６】
【発明が解決しようとする課題】
ところが、上述した空気清浄装置０１は空気中の塵埃を捕集するために、内部の帯電捕集部０９に集塵した塵埃が、装置内に蓄積される。このままでは捕集効率の低下等を招くため、エアコンなどの他の空調機器と比較して頻繁に蓋体０３を開け、帯電捕集部０９を空気清浄装置０１のケーシング０２から取り出す取り出してメンテナンスを行い、再度ケーシング０２内に戻すことを繰り返す。また、タバコ煙などを効率よく吸引し浄化するために、高所に天地逆向きに設置することがあるもあるが、そのときに蓋体０３を開けて保持した状態でメンテナンスを行い、メンテナンス終了時には、蓋体０３を手で保持しつつステー０１１を解除することが大変である。さらに、上述した保持機構は、プッシュキャッチタイプではキャッチ部０１４の大きさの関係で、つめ引っかけタイプではつめ部０１３Ａを変形させながら係合する関係から、つめ部０１３，０１３Ａが大きく（太く）できず、破損し易いという問題がある。さらに、プッシュキャッチタイプではキャッチ部０１４が故障し易い等の問題もある。なお、磁力を利用する保持機構も考えられるが、長期使用時には十分な保持力が期待できない。
【０００７】
また、この種の空気清浄装置０１では、蓋体０３に吸込口０４が設けられているため、一定期間毎に洗浄等のメンテナンスが必要となるので、蓋体０３はケーシング０２に対して着脱自在となっている。しかしながら、上述した例では、蓋体０２を所定の開閉状態で保持しながら係合ピン０１０をステー０１１の長孔０１２から引き抜かなければならないので、特に、取付け位置が高所の場合には、作業が困難である場合がある。
【０００８】
本発明はこのような事情に鑑み、蓋体の開閉及びケーシングからの着脱を容易に行うことができる空気清浄装置用蓋体の取付構造及び空気清浄装置を提供することを課題とする。
【０００９】
【課題を解決するための手段】
前記課題を解決する本発明の第１の態様は、空気中の粒子を捕集する空気清浄装置の捕集部を格納するケーシングと、該ケーシングの開口部を開閉自在に覆う蓋体との取付構造において、前記蓋体は、一辺に沿った一端部を回転中心として回動自在になるように前記ケーシングに取り付けられると共に前記一辺に対向する一辺に沿った他端部で係合部を介して前記ケーシングに係脱可能となり且つ前記一辺に直交する方向に沿った断面が略円弧状となるように外側に突出した湾曲形状を有し、該蓋体が前記湾曲形状の湾曲方向に弾性変形することにより前記係合部が係脱可能であることを特徴とする空気清浄装置用蓋体の取付構造にある。
【００１０】
かかる第１の態様では、蓋体の回転中心となる一端部をケーシングに取り付け、ケーシングを湾曲方向に沿って回動させ且つ弾性変形させることにより、蓋体の他端部は係合部を介してケーシングに係合保持される。
【００１１】
本発明の第２の態様は、第１の態様において、前記蓋体の前記他端部近傍には、第１の係止部が設けられ、前記ケーシングには前記第１の係止部が係合する第２の係止部が設けられており、前記蓋体の前記他端部を閉じる回動方向に押圧することにより両者が係合し、前記蓋体の前記他端部を開く回動方向に押圧することにより両者の係合が解除されることを特徴とする空気清浄装置用蓋体の取付構造にある。
【００１２】
かかる第２の態様では、蓋体を回動させながら弾性変形させることにより、第１の係止部と第２の係止部とが係脱可能となる。
本発明の第３の態様は、第２の態様において、前記蓋体は、前記湾曲方向に沿うと共に弾性変形のし易い第１のリブと、当該第１のリブに直交する第２のリブとを有することを特徴とする空気清浄装置用蓋体の取付構造にある。
かかる第３の態様では、湾曲した形状故、弾性変形し易い性質を利用して開閉時の保持機構の係脱を行うことができるので、開閉動作が容易であり且つ保持機構の係脱を確実に行うことができる。
【００１３】
本発明の第４の態様は、第２又は３の態様において、前記第１の係止部が前記蓋体に突設された係止突起であり、前記第２の係止部が前記係止突起が挿入されてその縁部に係合する貫通孔であることを特徴とする空気清浄装置用蓋体の取付構造にある。
【００１４】
かかる第４の態様では、蓋体を閉方向に回動しながら弾性変形させることにより、係止突起が貫通孔に挿入されて係合し、また、弾性変形しながら逆方向に回動することにより、係止突起と貫通孔との係合を解除することができる。
【００１５】
本発明の第５の態様は、第１〜４の何れかの態様において、前記蓋体の前記一端部の両側近傍には当該両側の側壁に沿って前記ケーシングに向かって突出するステー部が設けられ、該ステー部に設けられた第３の係止部と前記ケーシングに設けられた第４の係止部により前記蓋体の開閉位置が位置決めできることを特徴とする空気清浄装置用蓋体の取付構造にある。
【００１６】
かかる第５の態様では、ステー部の第３の係止部と第４の係止部との係合により、蓋部が所定の位置に位置決めされる。
【００１７】
本発明の第６の態様は、第５の態様において、前記ステー部は前記回動方向を含む面に沿った薄板部材で少なくとも先端部が厚さ方向に弾性変形可能であり、前記第３の係止部は前記ステー部の先端部に設けられて厚さ方向に突出した係止凸部であり、前記第４の係止部は、前記ケーシングに設けられた二本の突条からなり、当該二本の突条間に前記係止凸部が係合することにより前記蓋体の開閉位置が所定位置に位置決めされることを特徴とする空気清浄装置用蓋体の取付構造にある。
【００１８】
かかる第６の態様では、ステー部を弾性変形させながら係止凸部を二本の突条間に係合することにより蓋体が所定の位置に位置決めされる。
【００１９】
本発明の第７の態様は、第６の態様において、前記係止凸部は円柱形状であり、前記二本の突条はそれぞれの外側の側面が外側ほど漸次低くなる傾斜面となっていることを特徴とする空気清浄装置用蓋体の取付構造にある。
【００２０】
かかる第７の態様では、係止凸部が二本の突条間に入る方向への移動が容易となり、ステー部を必ずしも弾性変形する必要はない。
【００２１】
本発明の第８の態様は、空気中の粒子を捕集する捕集部と、前記捕集部を格納すると共に開口部を有するケーシングと、該ケーシングの前記開口部を開閉自在に覆う蓋体とを具備する空気清浄装置において、前記蓋体は、一辺に沿った一端部を回転中心として回動自在になるように前記ケーシングに取り付けられると共に前記一辺に対向する一辺に沿った他端部で係合部を介して前記ケーシングに係脱可能となり且つ前記一辺に直交する方向に沿った断面が略円弧状となるように外側に突出した湾曲形状を有し、該蓋体が前記湾曲形状の湾曲方向に弾性変形することにより前記係合部が係脱可能であることを特徴とする空気清浄装置にある。
【００２２】
かかる第８の態様では、蓋体の回転中心となる一端部をケーシングに取り付け、ケーシングを湾曲方向に沿って回動させ且つ弾性変形させることにより、蓋体の他端部は係合部を介してケーシングに係合保持される。
【００２３】
【発明の実施の形態】
本発明を一実施形態に基づいて詳細に説明する。
【００２４】
図１は一実施形態の空気清浄装置の分解斜視図、図２はその横断面図、図３は装置本体の正面図、図４はそのＡ−Ａ線矢視断面図である。
【００２５】
これらの図面に示すように、空気清浄装置１は、全体として略かまぼこ状の形状を有し、前面に開口部を有する装置本体１０と、装置本体１０に着脱自在に装着されるカートリッジタイプの帯電捕集部３０と、装置本体１０の開口部を開閉する横断面が略円弧状の蓋体５０とを具備する。
【００２６】
装置本体１０の全体形状を画成する全体としてかまぼこ形状のケーシング１１は、前面に開口部１２を有する。また、ケーシング１１の開口部１２の内方に図示しない駆動モータを含むファン１３（本実施形態では、クロスフローファンを使用）が設けられ、ケーシング１１の図中上部には吐出口１４が形成されている。さらに、開口部１２内には、後述する帯電捕集部３０のアイオナイザ及びコレクタに電圧を供給するための三つの電極１５が設けられており、ケーシング１１内にはこれら電極に接続される図示しない電圧印加手段が内蔵されている。
【００２７】
また、ケーシング１１の開口部１２内の幅方向（図３で左右方向）両側壁には、帯電捕集部３０を装着保持するための第１の係止溝１６及び第２の係止溝１７が設けられ、第２の係止溝１７内には、装着された帯電捕集部３０を保持するための固定ばね１８が設けられている。さらに、開口部１２の図中下部の幅方向両側には、蓋体５０を装着するための装着溝１９が設けられている。装着溝１９の図中下部には蓋体５０を回転自在に支持する支持バー２０が設けられており、装着溝１９内の幅方向外側の側壁には、二本の係止突条２１が設けられている。また、開口部１２の図中上部の幅方向両側、第２の係止溝１７の外側には、蓋体５０を係合保持するための係止孔２２が設けられている。なお、ケーシング１１内には蓋体５０が開いた状態での装置の動作を規制する誤作動防止スイッチが内蔵され、この誤作動スイッチの解除を行うためのスイッチ用開口部２３が設けられている。
【００２８】
一方、帯電捕集部３０は、全体として略かまぼこ形状をなしてケーシング１１の開口部１２内にファン１３を囲むように装着できる形状を有する。詳細は省略するが、湾曲した前面には吸込口３１を有し、その内方には、順次、プレフィルタ、帯電部であるアイオナイザ、及び捕集部であるコレクタが内蔵され、さらに、裏面側にはオゾン分解タイプの脱臭フィルタが取り付けられている。従って、吸込口３１から含塵空気等を送り込むと、塵埃が除去された清浄空気が裏面側から吐出するようになっている。また、図示は省略するが、帯電捕集部３０の外周面には、上述したアイオナイザ及びコレクタと、装置本体１０の電極１５との接続を図るための接点部が設けられている。さらに、帯電捕集部３０の両側壁には、ケーシング１１の開口部１２内に装着するための第１の係止突起３２及び第２の係止突起３３が突設されている。
【００２９】
ここで、アイオナイザ及びコレクタは、放電電極部材、対向電極部材及び高圧電極部材の組み合わせにより形成し、対向電極部材は体積固有抵抗値が１０７Ωｃｍ以下の導電性樹脂材料で形成し、高圧電極部材は体積固有抵抗値が１０１０〜１０１３Ωｃｍの半導電性樹脂材料で形成するのが好ましい。この場合、アイオナイザは、放電電極部材と対向電極部材との組み合わせにより構成され、コレクタは、対向電極部材と高圧電極部材との組み合わせにより構成される。また、好適には、各放電電極部材、対向電極部材及び高圧電極部材は、それぞれの材料で、複数の略円弧状の櫛歯を有する形状に一体成形したものとし、これらを組み合わせることによりアイオナイザ及びコレクタを構成するようにするのが好ましい。
【００３０】
ここで、各対向電極部材及び高圧電極部材は、お互いが平行平板状であって、それぞれが平行且つ等間隔に交互に並ぶことが必要である。電気式集塵方式の場合は、対向電極部材と高圧電極部材は、集塵効率を確保するために電界の強度を均一に（気流の上流位置と下流位置での電極間距離を均一に）するために平行・等間隔であることが必要であり、また、通気抵抗の関係から本発明のようなクロスフローファンを用いた場合には、略円弧状の各電極板は、ファン１３の軸方向に対し直交するように配置すると都合がいい。これにより、各電極板間の空気流量を同じ程度にし、通気抵抗を少なくすると共に、各電極板の集塵性能を有効に使うことができる。
【００３１】
このように構成したアイオナイザ及びコレクタでは、アイオナイザにより荷電された粒子の中に導電性粉塵が混在していても、高圧電極部材の電荷の移動が半導電性樹脂材料の抵抗で制限されるため、集塵部の高圧電極部材と対向電極部材との間でのスパーク発生が防止できる。
【００３２】
蓋体５０は、ケーシング１１に対して着脱自在であり且つ開口部１２を開閉するもので、全面に帯電捕集部３０の吸込口３１と対向する吸込口５１が形成されている。かかる蓋体５０を、蓋体の正面図を示す図５、その側面図、Ｂ−Ｂ線矢視断面図及びＣ−Ｃ線矢視断面図を示す図６を参照しながら、蓋体５０を詳細に説明する。
【００３３】
蓋体５０の図中下部の幅方向両側には、ケーシング１１の支持バー２０を回転自在に把持する把持部５２が設けられている。また、把持部５２の近傍上側には、ケーシング１１の装着溝１９に挿入される薄板状のステー部５３が突設されており、ステー部５３の先端部外側には装着溝１９内の係止突条２１と係合可能な円柱状の係止凸部５４が設けられている。また、ステー部５３の外側には、係止凸部５４と係止突条２１との係止状態を解除するために当該ステー部５３を厚さ方向に弾性変形させる際に指置きの指標となる指置き部５５が設けられている。一方、蓋体５０の図中上部の裏面側には、ケーシング１１を貫通する係止孔２２に挿入されて係合する係止つめ５６が突設されている。また、係止つめ５６に対向する表側には、係止つめ５６と係止孔２２とを係合させ、又は係合状態を解除するために蓋体５０を湾曲方向に沿って弾性変形させる際の指置きの指標となる押圧部５７が設けられている。なお、蓋体５０の裏面側の一側端には、ケーシング１１のスイッチ用開口部２３に挿入可能な解除突起５８が立設されており、蓋体５０を開けた際は、解除突起５８が誤作動防止スイッチから離れ、即ち、誤作動防止スイッチを作動させて、その状態で誤って運転スイッチをオンにしても空気清浄装置を動作させることはなく、蓋体５０を閉じた際は、解除突起５８が誤作動防止スイッチを押し、即ち、誤作動防止スイッチを解除して、空気清浄装置１が運転できるように制御している。
【００３４】
次に、蓋体５０の開閉時の蓋体の移動状態を示す図７〜図９を参照しながら、蓋体５０の着脱及び開閉機構についてさらに詳述する。
【００３５】
蓋体５０の把持部５２の内径は、支持バー２０の外径より若干大きく、把持部５２の開口５２ａの開口寸法は、支持バー２０の対向する平面部２０ａ間の寸法より若干大きくなっている。従って、把持部５２の開口５２ａを支持バー２０の平面部２０ａと一致した場合、すなわち、図７〜図９で把持部５２の開口５２ａを上に向けた場合、蓋体５０の把持部５２が支持バー２０に着脱可能となる。そして、把持部５２に支持バー２０を挿入した状態で蓋体５０を回動すると、把持部５２は支持バー２０を回動自在に把持し、脱離できなくなる。このときの部分拡大図を図７（ａ）に示す。この状態で、蓋体５０を閉める方向、すなわち、図７〜図９で時計回りに回動すると、ステー部５３の係止凸部５４が一本目の突条２１に当接する（図７（ｂ）の状態）。ここでステー部５３を内側に弾性変形させて係止凸部５４を一本目の係止突条２１を乗り越えさせると、係止凸部５４は、二本の係止突条２１の間に位置決めされ、この状態は保持される（図８の状態）。また、この状態からステー部５３を内側に弾性変形させながら蓋体５０を閉方向に回動すると、係止凸部５４は二本目の係止突条２１を乗り越え、位置決め保持状態が解除される（図９の状態）。
【００３６】
ここで、二本の係止突条２１のそれぞれの外側面は、高さが外側ほど低い傾斜面２１ａとなっており、内側は垂直面２１ｂとなっている。また、係止凸部５４は、蓋体５０の回動に伴って円弧状の軌跡を移動するので、円筒形状となっている。従って、係止凸部５４が係止突条２１間に入る方向への移動の場合には、円筒形状の係止凸部５４が傾斜面２１ａを容易に乗り越え可能であり、ステー部５３を必ずしも弾性変形させる必要はない。一方、係止凸部５４が係止突条２１間から抜け出す方向への移動は垂直面２１ｂにより規制され、ステー部５３を弾性変形することなしに位置決め保持状態を解除することはできず、この状態は確実に保持される。
【００３７】
また、係止凸部５４が二本の係止突条２１を乗り越えた後は、蓋体５０が完全に閉じる状態まで自由に回動可能であり、係止つめ５６を係止孔２２（図３参照）に挿入し、蓋体５０の開閉端部、好適には両側の押圧部５７又はこの近傍を図１０に示すように押すことにより、蓋体５０が湾曲方向に沿って僅かに弾性変形し、係止つめ５６のつめ部５６ａが、係止孔２２の底部周縁部２２ａを乗り越えて係合する。この際、図１０（ａ）に示すように矢印Ａ方向に蓋体５０の上部、好適には押圧部５７を押すことにより、蓋体５０は、若干弾性変形しながら閉方向に回動するので、係止つめ５６は容易に係止孔２２に係合する。逆に、図１０（ｂ）に示すように矢印Ｂ方向に押圧すると、蓋体５０は若干弾性変形しながら開方向に回動するので、係止つめ５６の係止孔２２への係合が解除される。このように、本実施形態の蓋体５０では、蓋体５０の開閉動作と同方向に押圧することにより容易に弾性変形させることができ、開閉動作を非常に簡便に且つ安定して行うことができる。
【００３８】
このように、本実施形態の空気清浄装置１の蓋体５０は、空気清浄装置１の置き方を問わず、蓋体５０を開状態で保持して帯電捕集部３０の交換等の作業を行うことができ、このとき、蓋体５０から手を離しても蓋体５０が閉まってしまうことがない。特に、空気清浄装置１を高所に設置した場合にも、足場を気にしつつ片手で蓋体５０を押さえながら帯電捕集部３０の出し入れをする必要がない。
【００３９】
さらに、蓋体５０は、ステー部５３までプラスチックにより一体的に成形されているので、丸洗いできる。すなわち、従来技術に係る構造のように、洗浄前にステーと係合するための金属製の連結部材やマグネットなどを取り外す等の手間をかける必要がないという利点がある。
【００４０】
ここで、蓋体５０は、コンパクト化を図った空気清浄装置において吸込口の面積を最大限にするために湾曲した形状となっているが、また、湾曲した形状故、弾性変形し易い性質を利用して開閉時の保持機構の係脱を行っている。従って、開閉動作が容易であり且つ保持機構の係脱を確実に行うことができる。また、このように蓋体５０全体の弾性変形を使用して保持機構の係脱を行うため、係止つめ５６を従来と比較して大きく頑丈な形状とすることができ、破損等の虞もない。なお、本実施形態では、蓋体５０の吸込口５１は、湾曲方向に沿ったリブ５９Ａとそれに直交するリブ５９Ｂとにより形成されているが、湾曲方向に沿ったリブ５９Ａの形状及び寸法等を湾曲方向に沿って弾性変形し易いものとしている。
【００４１】
また、蓋体５０には、ステー部５３が一体的に設けられているので、部品点数を減らすことができ、さらに、従来のステー部の機能を維持したまま蓋体５０のケーシング１１への着脱作業を簡便に行うことができる。
【００４２】
以上説明した本実施形態の空気清浄装置１は、略かまぼこ形状のケーシング１１内のデッドスペースを最大限に減少させてコンパクト化を図ると共に含塵空気等の吸込面積を最大限にでき且つ気流ロスを減少させることができるという効果を奏する。
【００４３】
また、実施形態の空気清浄装置１は、例えば、図１１（ａ）に示すように、ロッカ１１１の上面１１１ａの空きスペースに安定設置でき、又は図１１（ｂ）に示すように、脚１ａを装着して起こし置きが可能であり、スペースの有効利用が可能となる。この場合、高めのロッカの上面に配置しても、安定性を確保できると共に、室内空気の流通を妨げることなく清浄空気を広い範囲に拡散させることができる。
【００４４】
また、図１２（ａ）に示すように、脚１ａを有する空気清浄装置１を床上に起こして置くこともでき、図１２（ｂ）に示すように幅方向一端部にフランジ１ｂを取り付けて縦置きもでき、図１２（ｃ）に示すように前面だけのフランジ１ｃを取り付けることにより室内のコーナ部に設置することもでき、また、図１２（ｄ）に示すようにタンス１１２の脇などの狭所に設置することができる。さらに、図１３（ａ）に示すように、例えば、窓１１３の上などに横向きに壁掛け設置することができ、図１３（ｂ）に示すように、窓１１３の脇に縦に壁掛け設置できる。なお、図１３（ａ）のように横向き設置する場合には、天地逆にも設置可能である。
【００４５】
本実施形態の空気清浄装置１は、上述した何れの設置態様においても、蓋体５０の開閉動作は、上述したように行うことができる。
【００４６】
【発明の効果】
以上説明したように本発明の空気清浄装置用蓋体の取付構造によると、蓋体の開閉及びケーシングからの着脱を容易に行うことができ、コンパクト化を図ると共に空気の流れを最大限に確保した空気清浄装置を実現できる。
【図面の簡単な説明】
【図１】本発明の一実施形態の空気清浄装置の分解斜視図である。
【図２】本発明の一実施形態の空気清浄装置の横断面図である。
【図３】本発明の一実施形態の装置本体の正面図である。
【図４】本発明の一実施形態の装置本体のＡ−Ａ線矢視断面図である。
【図５】本発明の一実施形態の蓋体の正面図である。
【図６】本発明の一実施形態の蓋体の側面図、Ｂ−Ｂ線矢視断面図及びＣ−Ｃ線矢視断面図である。
【図７】本発明の一実施形態の蓋体の開閉状態を説明する要部拡大図及び一部を切り欠いた側面図である。
【図８】本発明の一実施形態の蓋体の開閉状態を説明する一部を切り欠いた側面図である。
【図９】本発明の一実施形態の蓋体の開閉状態を説明する一部を切り欠いた側面図である。
【図１０】本発明の一実施形態の蓋体の係合状態を説明する一部を切り欠いた要部側面図である。
【図１１】本発明の一実施形態の空気清浄装置の使用状態を説明する斜視図である。
【図１２】本発明の一実施形態の空気清浄装置の使用状態を説明する斜視図である。
【図１３】本発明の一実施形態の空気清浄装置の使用状態を説明する斜視図である。
【図１４】従来技術に係る空気清浄装置の正面図である。
【図１５】従来技術に係る空気清浄装置の断面図である。
【図１６】従来技術に係る空気清浄装置の側面図である。
【図１７】保持機構の要部拡大図である。
【符号の説明】
１  空気清浄装置
１０  装置本体
１１  ケーシング
１２  開口部
１３  ファン
１４  吐出口
１５  電極
１６  第１の係止溝
１７  第２の係止溝
１９  装着溝
２０  支持バー
２１  係止突条
２２  係止孔
３０  帯電捕集部
３１  吸込口
３２  第１の係止突起
３３  第２の係止突起
５０  蓋体
５１  吸込口
５２  把持部
５３  ステー部
５４  係止凸部
【図１】
0003608959.tif 000002
【図２】
0003608959.tif 000003
【図３】
0003608959.tif 000004
【図４】
0003608959.tif 000005
【図５】
0003608959.tif 000006
【図６】
0003608959.tif 000007
【図７】
0003608959.tif 000008
【図８】
0003608959.tif 000009
【図９】
0003608959.tif 000010
【図１０】
0003608959.tif 000011
【図１１】
0003608959.tif 000012
【図１２】
0003608959.tif 000013
【図１３】
0003608959.tif 000014
【図１４】
0003608959.tif 000015
【図１５】
0003608959.tif 000016
【図１６】
0003608959.tif 000017
【図１７】
0003608959.tif 000018